(57)【要約】  旋回部材を使用角度で旋回させると旋回に連動して使用位置にスライディング移動して、使用状態にセッティングされるようにする旋回装置が開示される。このために、旋回構造によってなされる旋回動作とスライディング構造によってなされるスライディング動作を連動させるためのリンクが具備される。特に、スライディング構造は、支持部材とスライディング部材との間の結合に適用されて、このスライディング部材と旋回部材に旋回構造が適用されて、二つの部材を旋回可能に結合する。そして、リンクは支持部材とスライディング部材を連結して使用者の旋回力によって旋回部材がスライディング部材で旋回動作することによってそれに連動して、スライディング部材を支持部材から所望の方向と距離でスライディングするようにする。その結果、旋回部材は旋回と同時にそれに連動してスライディング移動するようになる。
2010526508.tif 000002
【特許請求の範囲】
【請求項１】
支持部材と、
前記支持部材にスライディング可能に結合されるスライディング部材と、
前記スライディング部材に旋回可能に結合される旋回部材と、
一端は前記旋回部材に回転可能に結合されて、他端は前記支持部材に回転可能に結合されて、前記旋回部材の旋回によって前記支持部材に結合された頂点を支点として前記旋回部材が結合された端部が旋回されながら前記旋回部材の位置を移動させるリンクを含むスライディング旋回装置。
【請求項２】
前記旋回部材には貫通孔が形成されて、係止突起がある回転板を具備して、前記貫通孔に前記回転板を挟んで前記回転板の一端を前記スライディング部材に結合させて、前記旋回部材と前記スライディング部材はお互いに旋回可能に結合されることを特徴とする請求項１に記載のスライディング旋回装置。
【請求項３】
前記旋回部材と前記スライディング部材との間には、旋回摩擦を減少させるために潤滑材が前記回転板に挟まれて介されることを特徴とする請求項２に記載のスライディング旋回装置。
【請求項４】
前記旋回部材が縦方向に位置する時前記リンクは、前記旋回部材の旋回中心から前記旋回部材の位置移動の目的地の側に偏向されて配置されて、前記旋回部材の旋回中心と前記リンクの両端は鈍角三角形をなすことを特徴とする請求項１に記載のスライディング旋回装置。
【請求項５】
支持部材と、
前記支持部材にスライディング可能に結合されるスライディング部材と、
貫通孔が形成される旋回部材と、
一端が前記貫通孔を貫通して前記スライディング部材に結合されて、他端には係止突起が設けられて、前記旋回部材の貫通孔周辺にかかって前記旋回部材と前記スライディング部材をお互いに旋回可能に結合する回転板と、
一端は前記旋回部材に回転可能に結合されて、他端は前記支持部材に回転可能に結合されて、前記旋回部材の旋回によって前記支持部材に結合された頂点を支点として前記旋回部材に結合された旋回端が旋回されながら前記旋回部材の位置を一方向に移動させるリンクを含むスライディング旋回装置。
【請求項６】
前記リンクは、前記旋回部材が縦方向に位置する時前記旋回部材の旋回中心から前記旋回部材の位置移動の目的地側に偏向されて、前記旋回部材の旋回中心を通る垂直中心線を基準に前記旋回部材の旋回方向の中間領域に位置されることを特徴とする請求項５に記載のスライディング旋回装置。
【請求項７】
前記旋回部材は、横と縦の比が異なる長方形であって、縦方向の第１位置と横方向の第２位置の間を旋回動作とスライディング動作が連動しながら往復して、
前記第１位置では前記旋回中心で前記リンクの旋回端を引き継ぐ線分と前記旋回端で前記支持部材に結合された前記リンクの固定端を引き継ぐ線分は鈍角をなして、前記旋回部材の前記第１位置から第２位置への旋回動作によって前記鈍角は次第にその角度が減ることを特徴とする請求項５または６に記載のスライディング旋回装置。
【請求項８】
前記支持部材は前板部とそれから離されて後板部を連結部で連結して、前記前板部と前記後板部との間に収納空間を設けて、前記旋回部材と前記スライディング部材が位置されるようにして、前記連結部の内側面は前記旋回部材の一側面を支持する支持面を形成することを特徴とする請求項７に記載のスライディング旋回装置。
【請求項９】
前記支持部材と前記スライディング部材との間に設置されて外力による前記旋回運動の進行過程で伸長状態から圧縮状態を経て再び伸長状態に転換されて、圧縮状態から伸長状態に転換される間に得られる復元力を前記スライディング部材に提供して前記スライディング部材のスライディング運動と前記旋回部材の旋回運動を完成するスプリングがさらに具備されることを特徴とする請求項５に記載のスライディング旋回装置。
【請求項１０】
前記支持部材にはその両側に一対のガイドホールが設けられて、それと対応される前記スライディング部材には前記ガイドホールにかみ合ってそれに沿って滑走する結合顎らが設けられることを特徴とする請求項９に記載のスライディング旋回装置。
【請求項１１】
支持部材と、
前記支持部材にスライディング可能に結合されるスライディング部材と、
貫通孔が形成される旋回部材と、
一端が前記貫通孔を貫通して前記スライディング部材に結合されて、他端には係止突起が設けられて前記旋回部材の貫通孔周辺にかかって前記旋回部材と前記スライディング部材をお互いに旋回可能に結合する回転板と、
一端は前記旋回部材に回転可能に結合されて、他端は前記支持部材に回転可能に結合されて、前記旋回部材の旋回によって前記支持部材に結合された頂点を支点として前記旋回部材に結合された旋回端が前記旋回部材の旋回方向と反対方向に旋回されながら前記旋回部材の位置を一方向に移動させながら方向を切り替えて、その反対方向に移動させるリンクを含むスライディング旋回装置。
【請求項１２】
前記スライディング部材には前記旋回部材が９０度範囲内で旋回運動をするように前記リンクの旋回端の回転を制限する弧形の旋回角制限孔が形成されて、前記リンク旋回端は結合ピンとして前記スライディング部材に形成された旋回角制限孔を貫通して前記旋回部材に結合されることを特徴とする請求項１１に記載のスライディング旋回装置。
【請求項１３】
前記支持部材と前記旋回部材との間に設置されて、外力による前記旋回運動の進行過程で伸長状態から圧縮状態を経て再び伸長状態に転換されて、圧縮状態から伸長状態に転換される間に得られる復元力を前記旋回部材に提供して旋回運動とスライディング運動を完成するスプリングがさらに具備されることを特徴とする請求項１１に記載のスライディング旋回装置。
【請求項１４】
前記支持部材にはその両側に一対のガイドレールが設けられて、それと対応される前記スライディング部材には前記ガイドレールにかみ合ってそれに沿って滑走する案内顎が設けられることを特徴とする請求項１３に記載のスライディング旋回装置。
【請求項１５】
前記回転板と前記旋回部材との間に、そして前記旋回部材と前記スライディング部材の接触部位にはそれぞれ潤滑材が介されていることを特徴とする請求項１４に記載のスライディング旋回装置。
【請求項１６】
支持部材と、
前記支持部材にスライディング可能に結合されて、貫通孔が形成されるスライディング部材と、
一端が前記貫通孔を貫通して下記旋回部材に結合されて、他端には係止突起が設けられて前記スライディング部材の貫通孔周辺にかかって下記旋回部材と前記スライディング部材をお互いに旋回可能に結合する回転板と、
前記回転板の一端に結合されて前記回転板と一体で回転しながらスライディングする旋回部材と、
一端は前記回転板に回転可能に結合されて、他端は前記支持部材に回転可能に結合されて、前記旋回部材の旋回によって前記支持部材に結合された頂点を支点として前記回転板に結合された旋回端が前記旋回部材の旋回方向と反対方向に旋回されながら前記スライディング部材の位置を一方向にスライディング移動させながら方向を切り替えて、その反対方向にスライディング移動させるリンクを含むスライディング旋回装置。
【請求項１７】
下記旋回部材のスライディング方向に通路が形成された支持部材と、
一端には前記通路を貫通して下記旋回部材に結合される円形挿入部が形成されて、他端には係止突起が設けられて前記支持部材の通路周辺にかかって下記旋回部材と前記支持部材をお互いに旋回可能に結合する回転板と、
前記回転板の一端に結合されて前記回転板と一体で回転しながらスライディングする旋回部材と、
一端は前記回転板に回転可能に結合されて、他端は前記支持部材に回転可能に結合されて、前記旋回部材の旋回によって前記支持部材に結合された頂点を支点として前記回転板に結合された旋回端が前記旋回部材の旋回方向と反対方向に旋回されながら前記旋回部材の位置を一方向にスライディング移動させながら方向を切り替えて、その反対方向にスライディング移動させるリンクを含むスライディング旋回装置。
【請求項１８】
前記回転板の円形挿入部の直径は、前記通路の幅よりすこし小さく、前記通路の幅方向への搖れが防止され、前記通路に沿って通路縦方向にスライディング運動することを特徴とする請求項１７に記載のスライディング旋回装置。
【請求項１９】
前記通路は、前記スライディング方向に平行な直線、及び前記スライディング方向に平行な直線ですこし傾いた斜線または曲線のうちいずれか一つで形成されることを特徴とする請求項１７または１８に記載のスライディング旋回装置。
【請求項２０】
前記回転板は係止突起から延長された連結部を具備して、前記リンクの旋回端とリンク結合されることを特徴とする請求項１６または１７に記載のスライディング旋回装置。
【請求項２１】
前記リンクは、前記支持部材に結合された旋回中心支点で前記回転板に連結される方向の反対方向にさらに延長されて、この延長部分と前記支持部材との間にスプリングを設置して、前記リンクの旋回動作によって前記スプリングが伸長状態から圧縮状態を経て再び伸長状態に転換されて、圧縮状態から伸長状態に転換される間に得られる復元力を前記リンクに提供することを特徴とする請求項２０に記載のスライディング旋回装置。
【請求項２２】
前記旋回部材は、横と縦の比が異なる長方形で、縦方向の第１位置と横方向の第２位置の間を旋回動作とスライディング動作が連動しながら往復して、
前記リンクは、前記旋回部材が第１位置にある時前記旋回部材の旋回中心から前記旋回部材の位置移動の目的地の側に偏向されて配置されるが、前記リンクの旋回端が前記旋回部材の旋回中心を通る垂直中心線と平行で、前記支持部材の結合支点を通過する垂直線に対して前記リンクの旋回方向の反対方向に越えて位置することを特徴とする請求項１１、１６及び１７のうちいずれか一つに記載のスライディング旋回装置。
【請求項２３】
前記リンクは、前記第１位置で前記旋回部材の旋回中心を通る垂直中心線に対して前記旋回部材の旋回方向と反対方向の中間領域内に位置されて、前記旋回部材の旋回中心と前記リンクの固定端及び旋回端を３個の頂点にする三角形は、前記旋回端の角が鈍角である鈍角三角形をなすことを特徴とする請求項２２に記載のスライディング旋回装置。
【請求項２４】
前記リンクは直線バー(bar)形態でその旋回端側が前記リンクの旋回方向と反対方向に折り曲げられていることを特徴とする請求項２３に記載のスライディング旋回装置。
【請求項２５】
前記スライディング旋回装置は、携帯電話、ＰＤＡ、ＬＣＤモニターのうちでいずれか一つに適用された電子装置であることを特徴とする請求項１、５、１１、１６及び１７のうちいずれか一つに記載のスライディング旋回装置。
【発明の詳細な説明】
【技術分野】
【０００１】
本発明は、旋回部材を使用角度で旋回させると旋回と同時に使用位置にスライディング移動して、使用状態でセッティングされるようにする装置に関するものである。より詳細には、スライディング構造と旋回構造をリンクによって複合的に連結させて、旋回部材が旋回と連動してスライディング動作が遂行されるようにすることで、旋回時旋回部材の角が回転時にそれと近接した支持部材と干渉することなく旋回部材を方向転換と同時に所望の距離に移動させて、一度に所望の方向と使用位置で簡便に移動させることができるスライディング旋回装置に関するものである。
【背景技術】
【０００２】
携帯型端末機、例えば、携帯電話の形態は継続的に進化している。フリップタイプ、バータイプ、フォルダタイプに引き続きスライドタイプの携帯電話が製品化されて発売開始されて広く使用されている。
【０００３】
最近になって携帯電話にカメラ機能と動画視聴機能が統合されながら、携帯電話の覆いに設けられた液晶画面を通じて動画や画像の横方向または縦方向に見るための目的または円滑なカメラ撮影のための目的で覆いを自由に回転させることができる機能が要求されている。例えば、最近には携帯電話でＤＭＢ(Digital Multimedia Broadcasting)サービスなどの動画サービスの支援が強化されることによって、動画視聴に好適な横表示を支援する製品が発売開始されている。このために、携帯電話には覆いを本体で旋回させて横表示ができる旋回メカニズムが具備されている。特に、旋回メカニズムは、フォルダタイプやスライドタイプの携帯電話に適用されて、本体上の覆い部分を本体で旋回させる構造を取っている。
【０００４】
このような従来のフォルダタイプ携帯電話の覆い旋回メカニズムは、本体と覆いを開放軸構造に加えて旋回軸構造で結合させて、旋回軸に対して覆いを本体から旋回させることができる構造である。このようなフォルダタイプの旋回構造は、直径が小さな軸上結合をなすことで覆いを支える力が基本的にあまり大きくないために、外力によって損傷され易いという弱みがある。ひいては、旋回部材が旋回軸のみによって結合されていて、旋回メカニズムが覆いを旋回させた位置で安定的に支持する構造を提供することができないことで、止まり位置で外部の弱い衝撃にも動くか、または搖れる弊害がある。さらに、使用が続くと旋回軸構造の構成要素の間に遊びが大きくなって覆いをしっかり保持することができずに揺れ動く現象が現われる。
【０００５】
このような旋回軸構造から起因する根源的な問題を解消するために、旋回メカニズムは覆いを本体に開閉可能に結合された覆い支持板部とこの覆い支持板部から旋回可能に結合された旋回部材の２板構造で構成して、覆い支持板部と旋回部材の旋回軸構造に加えて覆い支持板部が旋回部材の一側面を支持する構造を提供している。しかし、このような構造において旋回部材を旋回させる時、旋回部材の側面を支持する覆い支持板部の支持面に旋回部材の角が旋回時に干渉を起こさないように旋回部材の両側縁を、回転半径を考慮して完全な曲線で製作するか、または旋回部材を覆い支持板部と反対方向に引っぱって支持面から離れた状態で旋回させなければならない。そのため、前者の場合一般的に全体的な形態がほぼ長方形状で角のみが曲線処理された携帯電話の一般的な形態のデザイン設計にとっての障害になっている。一方、後者の場合には旋回のために移動と回転の二つの動作が使用者の力によって遂行されなければならないので操作が煩わしくて非常に苦労する。また、旋回部材を横方向に旋回させると縦方向で覆い支持板部の支持面に一面が密着されていた旋回部材は、旋回部材の回転中心から横方向と縦方向の距離の差に対応する程度支持面から浮かぶようになって、それによって支持力が安定的ではない。したがって、より安定的な支持のためには、旋回部材を横方向に旋回させた後に旋回部材を支持面に向けてまた移動させて密着させてくれる必要がある。
【０００６】
一方、スライドタイプ携帯電話の場合には、スライディングメカニズムと別個で旋回メカニズムが構成されていて、本体で覆いを旋回させることにおいて、覆いに隠された本体上のキーパッド部分が露出するように、先ず覆いを本体からスライディングさせて上に位置移動させた後、その状態で覆いを旋回させるようになる。だから上のフォルダタイプでも指摘したところのように二つの動作を順次にしなければならないので煩わしいだけでなく、操作に非常に苦労する。これはさらに便利なことを要求する需要者の要求に応じることができない大きい要因となっている。また、旋回された状態で覆いは、旋回軸のみによって支持されているので、外部の弱い衝撃にも回るか、または搖れる問題点がある。
【０００７】
以上説明した従来の旋回装置では、使用者の旋回操作によって回転中心を支点にして一定角度で旋回するだけで、それによって位置を自動で補正するか、または調整することはできなかった。したがって、旋回時干渉を避けるために旋回部材の位置を補正するか、操作が便利な位置に移動させるためには使用者が別に旋回部材を移動させる動作を取らなければならない煩わしさがある。
【発明の概要】
【発明が解決しようとする課題】
【０００８】
したがって、上記のようなことを考慮して本発明の目的は、旋回部材が旋回と連動してスライディング動作が遂行されるようにすることで、旋回部材を方向転換と同時に距離移動させて所望の方向と使用位置で便利に移動させることができるスライディング旋回装置を提供することにある。
【０００９】
本発明の他の目的は、使用者が旋回部材を旋回させると、旋回動作と連動して旋回部材の一側面を支持する支持部材の支持面から旋回部材が離れながら旋回し、旋回部材の角が回転時に旋回部材を支持する支持部材に干渉されないで、円滑に回転するようにするスライディング旋回装置を提供することにある。
【課題を解決するための手段】
【００１０】
前記目的を達成するための本発明の一側面によると、支持部材と、前記支持部材にスライディング可能に結合されるスライディング部材と、前記スライディング部材に旋回可能に結合される旋回部材と、一端は前記旋回部材に回転可能に結合されて、他端は前記支持部材に回転可能に結合されて、前記旋回部材の旋回によって前記支持部材に結合された頂点を支点として、前記旋回部材が結合された端部が旋回されながら前記旋回部材の位置を移動させるリンクを含むスライディング旋回装置が提供される。
【００１１】
前記目的を達成するための本発明の他の側面によると、支持部材と、前記支持部材にスライディング可能に結合されるスライディング部材と、貫通孔が形成される旋回部材と、一端が前記貫通孔を貫通して前記スライディング部材に結合されて、他端には係止突起が設けられて、前記旋回部材の貫通孔周辺にかかって前記旋回部材と前記スライディング部材をお互いに旋回可能に結合する回転板と、一端は前記旋回部材に回転可能に結合されて、他端は前記支持部材に回転可能に結合されて、前記旋回部材の旋回によって前記支持部材に結合された頂点を支点として、前記旋回部材に結合された旋回端が旋回されながら前記旋回部材の位置を一方向に移動させるリンクを含むスライディング旋回装置が提供される。
【００１２】
前記リンクは、前記旋回部材が縦方向に位置する時、前記旋回部材の旋回中心から前記旋回部材の位置移動の目的地側に偏向されて、前記旋回部材の旋回中心を通る垂直中心線を基準に前記旋回部材の旋回方向の中間領域に位置されることを特徴とするスライディング旋回装置が望ましい。
【００１３】
前記旋回部材は、横と縦の比が異なる長方形であって、縦方向の第１位置と横方向の第２位置の間を旋回動作とスライディング動作が連動しながら往復して、前記第１位置では前記旋回中心で前記リンクの旋回端を引き継ぐ線分と前記旋回端で前記支持部材に結合された前記リンクの固定端を引き継ぐ線分は鈍角をなして、前記旋回部材の前記第１位置から第２位置への旋回動作によって前記鈍角は次第にその角度が減る動作を遂行する。
【００１４】
前記目的を達成するための本発明のまた他の側面によると、支持部材と、前記支持部材にスライディング可能に結合されるスライディング部材と、貫通孔が形成される旋回部材と、一端が前記貫通孔を貫通して前記スライディング部材に結合されて、他端には係止突起が設けられて、前記旋回部材の貫通孔周辺にかかって前記旋回部材と前記スライディング部材をお互いに旋回可能に結合する回転板と、一端は前記旋回部材に回転可能に結合されて、他端は前記支持部材に回転可能に結合されて、前記旋回部材の旋回によって前記支持部材に結合された頂点を支点として、前記旋回部材に結合された旋回端が前記旋回部材の旋回方向と反対方向に旋回され、前記旋回部材の位置を一方向に移動させながら方向を切り替えて、その反対方向に移動させるリンクを含むスライディング旋回装置が提供される。
【００１５】
前記旋回部材は、横と縦の比が異なる長方形で、縦方向の第１位置と横方向の第２位置の間を旋回動作とスライディング動作が連動しながら往復して、前記リンクは、前記旋回部材が第１位置にある時前記旋回部材の旋回中心から前記旋回部材の位置移動の目的地の側に偏向されて配置されるが、前記リンクの旋回端が前記旋回部材の旋回中心を通る垂直中心線と平行で、前記支持部材の結合支点を通過する垂直線に対して前記リンクの旋回方向の反対方向に越えて位置することを特徴とする。
【００１６】
前記目的を達成するための本発明のまた他の側面によると、支持部材と、前記支持部材にスライディング可能に結合されて、貫通孔が形成されるスライディング部材と、一端が前記貫通孔を貫通して下記旋回部材に結合されて、他端には係止突起が設けられて前記スライディング部材の貫通孔周辺にかかって下記旋回部材と前記スライディング部材をお互いに旋回可能に結合する回転板と、前記回転板の一端に結合されて前記回転板と一体で回転しながらスライディングする旋回部材と、一端は前記回転板に回転可能に結合されて、他端は前記支持部材に回転可能に結合されて、前記旋回部材の旋回によって前記支持部材に結合された頂点を支点として、前記回転板に結合された旋回端が前記旋回部材の旋回方向と反対方向に旋回され、前記スライディング部材の位置を一方向にスライディング移動させながら方向を切り替えて、その反対方向にスライディング移動させるリンクを含むスライディング旋回装置が提供される。
【発明の効果】
【００１７】
以上で説明したように、本発明によるスライディング旋回装置は、支持部材で旋回される旋回部材が旋回と連動してスライディング動作が遂行されるようにすることで、旋回部材を方向転換と同時に距離移動させて所望の方向と使用位置で便利に移動させることができる。
【００１８】
また、使用者が旋回部材を旋回させると、旋回動作と連動して旋回部材の一側面を支持する支持部材の支持面から旋回部材が離れながら旋回し、旋回部材の角が回転時に旋回部材を支持する支持部材に干渉されないで円滑に回転することができる効果がある。
【００１９】
本発明を携帯電話、エルシデ−モニター、ピデ−エイ(ＰＤＡ)などの電子応用機器に適用することで、支持部で画面が構成された旋回部を簡単に旋回さえさせると、旋回に連動してスライディングがなされ、使用に好適な使用位置へ簡便に移動調節することができる効果がある。
【００２０】
また、本装置は、スプリングを利用して少ない作動力で手軽く旋回動作とスライディング動作を具現することができるし、ひいては軸上結合ではなく板上の旋回結合構造を採択することで結合構造が安定的で耐久性がすぐれる。また、本発明は旋回構造とスライディング構造を連結させて旋回動作に連動してスライディング動作が複合的に遂行されるので、このような運動方式を必要とする応用分野に広く適用されることができる。特に、携帯電話に応用する場合、ディスプレイ画面の横表示への旋回動作によって所望の高さへの移動が共になされて使用の便利さと安全性を増進させることができる長所もある。
【図面の簡単な説明】
【００２１】
本発明の実施例に関する詳しい説明は、添付した図面を参照して行われるものであり、図面で対応される部分を指定する番号は同じである。
【００２２】
図１は、本発明によるスライディング旋回装置の第１実施例を示した組み立て斜視図である。
【００２３】
図２は、図１に示された本装置の分離斜視図である。
【００２４】
図３は、図２の下方向から見て示した分離斜視図である。
【００２５】
図４は、図２で一部分を組立てて示した部分抜粋組み立て斜視図である。
【００２６】
図５は、図１ないし図４に示された本装置の構造が携帯電話に適用された例として、本装置の動作方法を示した使用状態斜視図である。
【００２７】
図６は、図５での内部動作メカニズムの動作過程を示した図面である。
【００２８】
図７は、旋回動作時旋回部材とリンクの運動軌跡を示した図面である。
【００２９】
図８は、本発明によるスライディング旋回装置の第２実施例を示した組み立て斜視図である。
【００３０】
図９は、図８で支持部材を除去して内部構造が現われるようにした部分抜粋組み立て斜視図である。
【００３１】
図１０は、図８に示された本装置の分離斜視図である。
【００３２】
図１１は、図１０の下方向から見て示した分離斜視図である。
【００３３】
図１２は、図８ないし図１１に示された本装置の動作方法を示した使用状態斜視図である。
【００３４】
【００３５】
図１３は、図１２での内部動作メカニズムの動作過程を示した図面である。
【００３６】
図１４は、旋回動作時旋回部材とリンクの運動軌跡を示した図面である。
【００３７】
図１５は、本発明の第２実施例の構造が携帯電話に適用された例を示した図面である。
【００３８】
図１６は、本発明によるスライディング旋回装置の第３実施例を示した組み立て斜視図である。
【００３９】
図１７は、図１６に示された本装置の分離斜視図である。
【００４０】
図１８は、図１７の下方向から見て示した分離斜視図である。
【００４１】
図１９は、図１６で一部分を分離して示した組み立て斜視図である。
【００４２】
図２０は、図１６ないし図１９に示された本装置の動作方法を示した使用状態斜視図である。
【００４３】
図２１は、図２０の動作メカニズムを平面的に示した図面である。
【００４４】
図２２は、本発明によるスライディング旋回装置の第４実施例を示した組み立て斜視図である。
【００４５】
図２３は、図２２に示された本装置の分離斜視図である。
【００４６】
図２４は、図２３の下方向から見て示した分離斜視図である。
【００４７】
図２５は、図２２ないし図２４に示された本装置の動作方法を示した使用状態図である。
【００４８】
図２６及び図２７は、本発明で支持部材に形成された通路の多様な実施例を示した図面である。
【発明を実施するための最良の形態】
【００４９】
以下では添付した図面を参照して本発明の望ましい実施例に関して詳しく説明する。
【００５０】
図１は、本発明によるスライディング旋回装置の第１実施例を示した組み立て斜視図であり、図２は図１に示された本装置の分離斜視図である。また、図３は図２の下方向から見て示した分離斜視図であり、図４は図２で一部分を組立てて示した部分抜粋組み立て斜視図である。
【００５１】
本装置は、支持部材１０から旋回部材２０が旋回時にそれと連動して、一定距離スライディング移動するように旋回構造と併せてスライディング構造が複合的に連結されて構成されている。
【００５２】
このために、旋回部材２０は図示したようにスライディング部材３０を媒介にして支持部材１０に結合される。すなわち、スライディング部材３０が支持部材１０にスライディング可能に結合されて、このスライディング可能なスライディング部材３０に再び旋回部材２０が旋回可能に結合される。そして、旋回部材３０と支持部材１０をリンク４０で連結して旋回部材２０の旋回動作に連動してスライディング部材３０のスライディング動作がなされるように３個の部材１０、２０、３０を連結させている。
【００５３】
支持部材１０とスライディング部材３０は、スライディング構造でスライディング可能に結合されるが、その一方法として支持部材１０に直線のガイドホール１２を形成して、このガイドホール１２にスライディング部材３０の結合顎３２を結合させて、結合顎３２がガイドホール１２に沿ってスライディングすることによって支持部材１０からスライディング部材３０が滑走するように構成されることができる。望ましくは、本実施例で例示したところのようにガイドホール１２と結合顎３２は、支持部材１０とスライディング部材３０に左右一対で構成される。特に、左右一対のガイドホール１２は、支持部材１０に一体で形成されるか、またはそれではなければ図示したところのように別途の支持板１４に形成されて支持板１４を支持部材１０に結合して構成されることができる。
【００５４】
この他にもスライディング構造はガイドバー(図示せず)と、このガイドバーに挟まれる案内孔(図示せず)の結合によるスライディング構造など、支持部材とスライディング部材が滑走することができる構造なら多様に適用されることができる。
【００５５】
スライディング部材３０と旋回部材２０の旋回結合構造についてよく見れば、旋回部材２０には貫通孔２２が形成されていて、この貫通孔２２に係止突起５２を有する回転板５０を挟んでスライディング部材３０に結合する。すなわち、回転板５０を貫通孔２２に挟んで、その係止突起５２は旋回部材２０の貫通孔２２周辺にかかるようにして、貫通孔２２を通過した回転板５０の一端がスライディング部材３０と結合するようにする。より望ましい一結合方法としては、回転板５０に複数のボルト孔５４を穿孔して、このボルト孔５４にボルト６０を挟んでボルト孔５４と連結されるスライディング部材３０の締結孔３４にボルト６０を締結することで達成されることができる。上記の回転板５０の係止突起５２は円形をなすことが望ましく、この係止突起５２は貫通孔２２を通過することができずに旋回部材２０にかかるようになり、回転板５０の軸板部５６が貫通孔２２を通過してスライディング部材３０に密着して結合される。それによって、スライディング部材３０に旋回部材２０が旋回可能に結合されるものである。この時、スライディング部材３０と旋回部材２０との間には、二つの部材の回転時摩擦と摩耗を減少させて円滑な旋回動作がなされるように潤滑材７０が介されることが望ましい。この潤滑材７０は環形として回転板５０の軸板部５６に挟まれて、その材質としてはプラスチックや金属が適している。
【００５６】
本装置でリンク４０は、外力による旋回部材２０の旋回力をスライディング部材３０に伝達してスライディング部材３０のスライディング直進力で提供する一番重要な構成である。このリンク４０は、一端が支持部材1０に回転可能に結合されて、他端が旋回部材２０に回転可能に結合される。具体的に、リンク４０は直線バー(bar)形態でその両端にピン孔ら４２-１、４２-２を具備して、一端のピン孔４２-１に結合ピン４４-１を挿入して、支持部材１０に固定される支持板１４にその一端が回転可能に結合されて、他端のピン孔４２-２にも結合ピン４４-２を挿入して旋回部材２０にその他端が回転可能に結合される。このような結合によってリンク４０は、支持部材１０に結合された一端を軸にして旋回部材２０に結合された他端が旋回するので、以下支持部材１０に結合された一端を固定端と称して、旋回部材２０に結合された他端を旋回端と称する。リンク４０は旋回装置の旋回中心から見る時スライディング移動方向側に位置されて、リンクの両回転中心(両ピン孔の中心)を連結すると鈍角三角形をなすように配置される。この時、旋回中心でリンクの旋回端を引き継ぐ線分と旋回端でリンクの固定端を引き継ぐ線分が鈍角をなすことが望ましい。リンク４０の長さと動作角度は旋回部材２０が所望の角度で回転すると所望の移動距離に到逹するように設計される。例えば、旋回部材２０が９０度回転すると９０度回転に連動して出発地から目的地までの移動距離をスライディング移動するようにリンク４０の距離と動作角度が設定される。また、リンク４０は旋回部材２０の旋回中心(Cr)を通り過ぎる垂直中心線(Lv)を基準にして回転方向側に偏向されて位置される。
【００５７】
上記のようなリンク４０は、作動力に抵抗しながら旋回部材２０に直進力を提供することができる堅固な金属やプラスチックで構成される。望ましくは、リンク４０は薄板のバー(bar)形態で構成されて、支持板１４にはリンク４０を収容してリンク４０の安定的な動作を保障することができる空間を形成するリンク収容溝１６が設けられた方が良い。
【００５８】
本実施例で支持部材１０は、前板部１０-１とこの前板部１０-１の一端で連結された後板部１０-３で形成されて、この前板部１０-１は高さを低く、そして後板部１０-３は高さを高くして、前板部１０-１と重ならない後板部１０-３の一定部分が露出するようにする。そして、前板部１０-１と後板部１０-３が重なりあった区間には旋回部材２０が進入することができる収納空間１０-５が設けられる。そして、前板部１０-１と後板部１０-３を連結する連結部１０-７の内側に旋回部材２０の一側面が支持される。よって、旋回部材２０が縦方向に位置(第１位置)する場合、旋回部材２０は、支持部材１０の後板部１０-３と重ねられて支持部材１０の収納空間１０-５に畳み込まれた状態になり、その時旋回部材２０の下端が連結部１０-７の内側面(支持面)に密着されて旋回部材２０が支持部材１０からすり抜けて来るか、または動かないようになる。この状態で旋回部材２０を旋回させると収納空間１０-５からすり抜けて来ながら９０度まで旋回して後板部１０-３とおおよそ直交する横方向に位置(第２位置)するようになる。このような旋回動作時、旋回部材２０の下端を支持する連結部１０-７の内側面によって旋回部材２０の下端が干渉されるが、本装置では旋回部材２０を旋回させるとそれによって漸次的にスライディング上昇しながら旋回されて、旋回部材２０の下端角の湾曲点が連結部１０-７の内側面(支持面)にかかることを防止すると同時に、旋回に続いて旋回部材２０がスライディング上昇して旋回終着地で操作位置に到逹するようにする。その結果として、旋回部材２０は旋回と同時に上昇して支持部材１０の収納空間１０-５から脱して使用が可能な状態、すなわち横方向に露出するようになる。
【００５９】
本装置は、また旋回動作とスライディング動作を円滑に誘導するためにスプリング８０が装着される。スプリング８０は、支持部材１０とスライディング部材３０との間に設置されて上記のような旋回及びスライディング動作での作動力を倍加させる。このためにスプリング８０の一端が支持部材１０に結合されて他端がスライディング部材３０に結合される。スプリング８０はその両端の結合位置がスライディング方向を基準にする時、上下対角線に位置してスライディング部材３０に復元力が適切に作用できるように配置されることが望ましい。このように設置されたスプリング８０は、スライディング部材３０の滑走距離のおおよそ半分程度までは圧縮され、半分程度を越すと圧縮力が復元力に変わりながら滑走を助ける。すなわち、外力による旋回部材２０の旋回運動の進行過程で伸長状態から圧縮状態を経て再び伸長状態に転換されて、圧縮状態から伸長状態に転換される間に得られる復元力をスライディング部材３０に提供してスライディング部材３０のスライディング運動と旋回部材２０の旋回運動を完成する。このようなスプリング８０の助力によって使用者は苦労せずに目的地まで手軽く旋回及びスライディング動作を達成することができるようになる。このようなスプリング８０としては、例示したところのようにリンク式スプリングを利用することが望ましい。このリンク式スプリング８０は、一端８２はスライディング部材３０の穴３６に回転可能に連結されて、他端８４は支持部材１０の穴１８に回転可能に連結される。
【００６０】
本発明で使用されるスプリング８０は、例示したリンク式スプリング以外にもトーションスプリング、コイルスプリング、板など多様なスプリングらが代替適用されることができる。
【００６１】
【００６２】
また、例示した支持部材１０の連結部１０-７の支持面は、旋回部材２０が旋回する時他の構成要素の干渉部位であることもある。本発明は、旋回部材２０が旋回によって干渉部位の反対側にスライディング移動するので、回転時このような干渉部位との干渉を解消することができ、さらには旋回と同時に所望の使用位置に移動させることができる。
【００６３】
図５は、図１ないし図４に示された本装置の構造が応用機器中の一つである携帯電話に適用された例として本装置の動作方法を示した使用状態斜視図であり、図６は図５での内部動作メカニズムの動作過程を示した図面である。また、図７は旋回動作時に旋回部材とリンクの運動軌跡を示した図面である。特に、図７で丸点はリンク旋回端の移動軌跡を示して、四角点は旋回部材の旋回中心の移動軌跡を示す。この図面を参照して、本発明の第１実施例の構造が適用された携帯電話での動作原理について詳細に説明する。
【００６４】
本発明の第１実施例は、図５で見るところのようにキーが多いクォティ(QWERTY)文字のキーを有する携帯電話１に有用に適用されることができる。この場合、クォティ文字のキー３を旋回部材２０に構成して、液晶画面５を支持部材１０の前板部１０-１に構成することを想定することができる。そうすると、支持部材１０は携帯電話１の胴体をなすようになって、旋回部材２０はキーパッドになる。これとは反対に、例示しなかったが支持部材１０の前板部１０-１に一般的なキーパッドを構成して、旋回部材２０に液晶画面を構成することもできる。例示された実施例では支持部材が胴体で、そして旋回部材がキーパッドで使用されるので、以下の説明で胴体とキーパッドの参照番号は、それぞれ対応される支持部材と旋回部材の番号をそのまま使用する。
【００６５】
このような携帯電話応用機器で非使用時に図６の(Ｉ)でのようにキーパッド２０は、胴体１０の収納空間１０-５に畳み込んだ状態で存在するようになる。この状態でキーパッド２０を使おうとする場合、使用者は手で胴体１０から露出したキーパッド２０の上部をＡ方向に押せば良い。そうすると、キーパッド２０は回転板５０を軸にして旋回するようになるが、このキーパッド２０の旋回によってリンク４０の旋回端とキーパッド２０の結合支点(Lpm)は、キーパッド２０側で見れば図６の(ＩＩ)で見るところのように回転しながら下降するようになる。しかし、リンク４０の固定端が胴体１０に固定されてキーパッド２０は下降することができないために、キーパッド２０の結合支点(Lpm)の下側での位置変動はキーパッド２０を上昇させる結果をもたらすようになる。この時、結合支点(Lpm)は、リンク２０側から見ればキーパッド２０の９０度旋回によって水平方向の振幅内で運動するので、リンク４０はその固定端の結合支点(Lpf)を中心にその旋回端の結合支点(Lpm)がその範囲で往復するようになる。その結果、キーパッド２０が縦方向(第１位置)で９０度回転して横方向(第２位置)に位置されれば、図６の(ＩＩＩ)のように旋回中心(Cr)の上側にあったリンク４０とキーパッド２０の結合位置(Lpm)は、旋回中心(Cr)の下方へ移されながらスライディングしたその垂直移動距離程度キーパッド２０が上昇して位置するようになる。よって、キーパッド２０の旋回中心は、旋回スタート位置(Cr１)から旋回終了位置(Cr２)の垂直距離(d)程度移動するようになる。その結果、キーパッド２０は胴体１０で９０度旋回と同時に垂直距離d程度上昇して横方向に位置するようになる。
【００６６】
上記のように旋回と連動してスライディング移動して、キーパッド２０は胴体１０から使用が可能な状態で露出するようになって、使用者は横方向に位置されたキーパッド２０を利用して相手に電話をかけるか、または文字を入力すると良い。
【００６７】
通話が終わった後にはキーパッド２０を広げた時と反対にして胴体１０に畳み込んで保管するようになる。
【発明を実施するための形態】
【００６８】
図８は、本発明によるスライディング旋回装置の第２実施例を示した組み立て斜視図であり、図９は図８で支持部材を除去して内部構造が現われるようにした部分抜粋組み立て斜視図である。また、図１０は、図８に示された本装置の分離斜視図であり、図１１は図１０の下方向から見て示した分離斜視図である。
【００６９】
本第２実施例によるスライディング旋回装置は、縦方向に位置(第１位置)している旋回部材２０aの旋回によって旋回部材２０aの角(湾曲点)が支持部材１０aの支持面１１aに干渉されないように、その距離程度旋回部材２０aを支持面の反対方向にスライディング移動させてから、この湾曲点を過ぎるとスライディング方向が転換されて、旋回部材２０aの続く旋回動作によって支持面１１aへ向けてスライディングし、旋回部材２０aが横方向の位置(第２位置)に来た時支持面に支持されるようにする旋回に連動される一連のスライディング動作を具現する装置を提示する。この時、旋回部材２０aは横と縦の比が異なる長方形部材で構成されて、９０度旋回によって横方向と縦方向が切り替えるようになって、それと連動しながらスライディングがなされて所望の高さで調節される。旋回部材２０aの所望の高さへの移動は、必ず支持面１１aに支持されるようにしないこともあって、任意の位置までのスライディング移動を保障することができる。このような本装置のメカニズムに対してより詳細に説明すると次のようである。
【００７０】
図示したように、本装置は支持部材１０aにスライディング部材３０aがスライディング可能に結合される。このために支持部材１０aとスライディング部材３０aの対応部位にはガイドレール１２aとこのガイドレール１２aにかみ合ってそれに沿って滑走する案内顎３２aが設けられている。このようなスライディング構造は、左右一対で構成されることが望ましくて、例示したところのように支持部材１０aの一面には、左右一対のガイドレール１２aが、そしてスライディング部材３０aには左右一対の案内顎３２aが具備されている。より望ましくは、左右一対のガイドレール１２aは、支持板１４aに形成されて支持部材１０aに固定されることができる。そして、案内顎３２aらはスライディング部材３０aの板体部３６aの両測縁からガイドレール１２aへ向けて折り曲げられてそれらにそれぞれかみ合うようになっている。
【００７１】
また、支持部材１０aの支持板１４aが固定される一面には、滑走方向の両端(上端及び下端)に係止突起ら１６a-１、１６a-３が形成されて、ガイドレール１２aに結合された案内顎３２aがガイドレール１２aから離脱しないようになっている。すなわち、案内顎３２aは、滑走方向の末端で係止突起ら１６a-１、１６a-３にかかって離脱が防止されて、結果的に支持部材１０aとスライディング部材３０aが分離されることを防止する。両端の係止突起１６a-１、１６a-３のうち一つは支持面１１aが設けられた支持部１６a-１が代わりをすることができる。この場合、支持部１６a-１の内面は、旋回部材２０aの一面が密着されて旋回部材２０aが支持される支持面１１aになる。ひいては、案内顎３２aは板体部３６aから一定区間のみに形成して、滑走距離を調整することもできる。
【００７２】
スライディング部材３０aに旋回部材２０aを旋回可能に結合する旋回構造は、前の実施例と同じく旋回部材２０aに貫通孔２２aを形成して、係止突起５２aが形成された回転板５０aを挟んでスライディング部材３０aに結合してなされる。この時、貫通孔２２aに環形潤滑材７２aを介して回転板５０aとスライディング部材３０aとの間で発生する摩擦及び摩耗を低減させて、旋回部材２０aとスライディング部材３０aの接触部位にも潤滑材７０aを介して円滑な旋回動作を誘導した方が良い。
【００７３】
また、本装置は、旋回部材２０aの旋回に連動して、すなわち旋回動作に従属してスライディング動作がなされるようにするリンク４０aを具備する。本装置でリンク４０aは、旋回部材２０aを支持部材１０aに拘束させて、旋回によって直進運動が発生するようにする核心的な構成要素である。このようなリンク４０aは、一端が支持部材１０aに回転可能に結合されて、他端が旋回部材２０aに回転可能に結合される。具体的に、リンク４０aはその両端にピン孔ら４２a-１、４２a-３を具備して、一端のピン孔４２a-１に結合ピン４４a-１を挿入して、支持部材１０aの支持板１４aにその一端が回転可能に結合されて、他端のピン孔４２a-３にも結合ピン４４a-２を挿入して、旋回部材２０aにその他端が回転可能に結合される。
【００７４】
リンク４０aは旋回部材２０aが縦方向(第１位置)で存在する時旋回中心(Cr')を通り過ぎる垂直中心線(Lv')を基準にして旋回方向側に偏向されて位置されて、旋回中心(Cr')とリンク４０aの両端部(両結合ピン(４４a-１、４４a-２)の中心)を連結すると、リンク４０aの旋回端４０a-３側が鈍角である三角形をなすように配置される。特に、リンク４０aは旋回部材２０aが第１位置にある時旋回部材２０aの旋回中心(Cr')から旋回部材２０aの位置移動の目的地側に偏向されて配置される。そして、リンク４０aの旋回端側結合支点は旋回部材２０aの旋回中心(Cr')を通る垂直中心線(Lv)と平行で、支持部材１０aの結合支点を通過する垂直線に対してリンク４０aの旋回方向の反対方向に越えて位置する。これによって、リンク４０aはその両端の結合位置と旋回角を通じて、本発明で旋回部材２０aの縦方向から横方向への旋回運動時初期に旋回部材２０aの角が支持面１１aにかからないように支持面から遠くなる方向(支持面の反対方向)にスライディング移動させる第１スライディング動作と、旋回部材２０aの角が支持面１１aを通り過ぎれば、この第１スライディング動作を終えて支持面１１aへ向けてスライディング移動させる第２スライディング動作を具現するように構成される。リンク４０aのこのような第１及び第２スライディング動作らによって縦方向から横方向に転換時にも旋回部材２０aを支持面１１aに安定するように支持させて支持することができるが、このような運動を具現するためのリンク４０aの運動軌跡に対しては、図１２ないし図１４を参照して詳細に後述する。
【００７５】
このような結合構造によってリンク４０aは、旋回部材２０aの旋回によって支持部材１０aに結合された一端(固定端)を支点に旋回部材２０aに結合された他端(旋回端)が一定角度で旋回するようになる。リンク４０aの距離と動作角度は、旋回部材２０aが所定角度で回転すると所望の移動距離に到逹するように設計される。本実施例ではスライディング部材３０aで旋回部材２０aが旋回動作時９０度の動作角度で停止するようにするためにスライディング部材３０aには、リンク４０aの回転角を拘束する弧形の旋回角制限孔３８aが形成されている。また、リンク４０aは、初期動作が円滑になされるように直線バー(bar)形態でおおよそリンクの中間部位からその旋回端がリンク４０aの旋回反対方向側に折り曲げられている。
【００７６】
本装置にはまた旋回動作及びスライディング動作の作動力を倍加させるために支持部材１０aと旋回部材２０aとの間にスプリング８０aが装着される。このスプリング８０aによって、外力による旋回部材２０aの旋回運動の進行過程で伸長状態から圧縮状態を経て再び伸長状態に転換されて、圧縮状態から伸長状態に転換される間に得られる復元力を旋回部材２０aに提供して旋回運動とスライディング運動を完成する。このようなスプリング８０aは、その両端の結合位置がおおよそ水平方向に位置して、スライディング方向が変わっても常時旋回部材２０aに弾性を作用できるように配置されることが望ましい。勿論、スプリング８０aは、第１実施例で既に説明したところのように多様な種類のスプリングが適用されることができる。
【００７７】
図１２は、図８ないし図１１に示された本装置の動作方法を示した使用状態斜視図であり、図１３は図１２での内部動作メカニズムの動作過程を示した図面であり、図１４は旋回動作時に旋回部材とリンクの運動軌跡を示した図面である。特に、図１４で丸点はリンク旋回端の移動軌跡を示して、四角点は旋回部材の旋回中心の移動軌跡を示す。これから、この図面を参照して本発明の第２実施例動作原理に対して詳細に説明する。
【００７８】
図１２の(Ｉ)及び図１３の(Ｉ)でのように旋回部材２０aが縦方向に位置する状態で、使用者が旋回部材２０aをＡ方向に回転させるとスライディング部材３０aに回転板５０aで結合された旋回部材２０aが回転板５０aを軸にして回転しながらリンク４０aは支持部材１０aに結合された固定端４０a-１の結合支点(Lpf')を中心にして旋回部材２０aに結合された旋回端４０a-３の結合支点(Lpm')が回転するようになる。その結果、図１４で見るところのようにリンク４０aは旋回端４０a-３の結合支点(Lpm')が運動開始支点から最高点(Ｔp)に到逹する距離(d１)程度上昇するようになる。これはすなわち、旋回端４０a-３が結合された旋回部材２０aが支持面１１aから上昇する結果をもたらすので、旋回部材２０aは支持面１１aから離れる方向に旋回部材２０aと結合されたスライディング部材３０aの案内顎３２aが支持部材１０aのガイドレール１２aに沿って第１スライディング運動をするようになる。ここで、最高点(Ｔp)までの上昇距離(d１)は、旋回部材２０aの角(湾曲点)が支持面１１aにかからない高さまでのスライディング距離で設定される。本発明では、このような第１スライディング運動を具現するため、すなわち旋回部材２０aの縦方向から横方向への旋回運動初期旋回部材２０aの角が支持面１１aにかからないように支持面１１aから離れる方向にスライディングさせる第１スライディング動作を誘導するために、旋回部材２０aが縦方向に位置する時を基準とする時旋回端４０a-３の結合位置は、図１４で見るところのように旋回部材２０aの旋回中心(Cr')を通る垂直中心線(Cv')に平行な垂直基準線(Fv')に対してリンク４０aの旋回方向の反対方向に所定角度(θ)かたよって位置するようになる。このように旋回反対方向にかたよった旋回端４０a-３の結合位置が、それが垂直基準線(Fv')となす角度(θ)程度旋回して垂直基準線(Fv')上に到逹すると最高点(Ｔp)に至るようになって、結果的に旋回部材２０aは上昇距離d１程度上方へスライディング移動するようになる。
【００７９】
上記のようにリンク４０aの旋回端４０a-３が最高点(Ｔp)まで上昇した後には継続的な旋回部材２０aの旋回動作によって最高点(Ｔp)を基点にしてリンク４０aの旋回端４０a-３は、図１４で見るところのように下降するようになる。このリンク４０aの旋回端４０a-３の下降は、旋回部材２０aを下降させて支持面１１aに向けてスライディング移動するようにする。その結果、本装置で旋回部材２０aが９０度旋回しながらスライディングして、実際移動した開始から終着位置までの距離(以下、‘実移動距離'と称する)は、リンク４０aの下降距離ｄ２から上昇距離ｄ１を引いて残った距離ｄに相応する。このように実移動距離ｄを計算して、所望の高さで旋回部材２０aを旋回動作に連動させて、スライディング移動させることができる。すなわち、本実施例でのように縦方向から横方向に９０度旋回時に旋回中心(Cr')から旋回部材２０aの横と縦の長さの差を実移動距離ｄで設定すると、旋回部材２０aは図１２の(ＩＩＩ)と図１３の(ＩＩＩ)でのように縦方向で９０度旋回して、横方向に位置された時にも支持面１１aに支持される状態を維持するようになる。
【００８０】
図１５は、本発明の第２実施例の構造が応用機器中の一つである携帯電話に適用された例を示した図面である。
【００８１】
上記に詳細に説明した本発明の第２実施例の構造は、一例で図１５でのようにフォルダ型携帯電話に適用されることができる。すなわち、フォルダ型携帯電話１ｂの覆い３ｂ部分に第２実施例の旋回装置の構造を適用して本体５bで覆い３ｂを開いた後、覆い３ｂの支持部材１０ｂから画面７bが構成された旋回部材２０ｂを旋回させて縦表示と横表示の機能を付与することができる。
【００８２】
このような携帯電話１ｂへの応用によって覆い３ｂの支持部材１０ｂの支持面１１ｂに支持されて安定的に結合された旋回部材２０ｂを使用者が旋回させるだけで、旋回部材２０ｂが支持面１１ｂから上昇して離れながら旋回して湾曲点を越せば下降し、支持部材１０ｂの支持面１１ｂに支持されるようにすることで、縦表示から横表示に転換時に二つのモードですべて安定的な使用状態を確保することができるようにしてくれる。このように縦表示と横表示の転換時に液晶画面７bが構成された旋回部材２０ｂが支持部材１０ｂの支持面１１ｂに支持されるので、動画の視聴において旋回構造による構造的な問題によって誘発されることができる振動や震えなどからより安全になることができる。
【００８３】
図１６は本発明によるスライディング旋回装置の第３実施例を示した組み立て斜視図であり、図１７は図１６に示された本装置の分離斜視図である。また、図１８は、図１７の下方向から見て示した分離斜視図であり、図１９は図１６で一部分のみを分離して示した組み立て斜視図である。この図１６ないし図１９を参照して本発明の第３実施例に対して詳しく説明する。
【００８４】
本第３実施例によるスライディング旋回装置も上で既に説明した第２実施例と類似な動作メカニズムを有する。具体的に説明すると、縦方向に位置(第１位置)している旋回部材２０ｂの旋回によって旋回部材２０ｂの角(湾曲点)が支持部材１０ｂの支持面１１ｂに干渉されないように旋回部材２０ｂを支持面の反対方向に干渉を避けることができる距離程度スライディング上昇させながら旋回がなされて、湾曲点を過ぎるとスライディング方向が転換されて、旋回部材２０ｂの続く旋回動作によって支持面１１ｂへ向けてスライディング下降して、旋回部材２０ｂが横方向の位置(第２位置)に来た時、旋回部材２０ｂの底面が支持面１１ｂに支持されるようにする旋回に連動する一連のスライディング動作を遂行する。このような動作を具現するための本装置のメカニズムに対してより詳細に説明すると次のようである。
【００８５】
図示したように、本装置は、フォルダ型携帯電話でのように本体９０ｂに結合されて、本体９０ｂで折られるか、またはひろがる支持部材１０ｂにスライディング部材３０ｂがスライディング可能に結合される。このために支持部材１０ｂの内部には左右両側に一対のガイドレール１２ｂ-１、１２ｂ-３が設けられているし、この一対のガイドレール１２ｂ-１、１２ｂ-３にスライディング部材３０ｂの両側が挟まれてそれによって滑走するようになる。このように簡単なスライディング構造によってスライディング部材３０ｂは、支持部材１０ｂでスライディングがなされるようになって、この支持部材１０ｂでスライディングするスライディング部材３０ｂに再び旋回部材２０ｂが結合されて、旋回部材２０ｂは結果的に支持部材１０ｂに対してスライディングと旋回動作が可能になる。
【００８６】
スライディング部材３０ｂに旋回部材２０ｂを旋回可能に結合する旋回構造は、スライディング部材３０ｂに貫通孔３８ｂを形成して、この貫通孔３８ｂで係止突起５２ｂが形成された回転板５０ｂを挟んで旋回部材２０ｂに結合してなされる。この時、支持部材１０ｂの内部に位置するスライディング部材３０ｂの貫通孔３８ｂを貫通した回転板５０ｂの一端が旋回部材２０ｂに到逹するように支持部材１０ｂには通路１８ｂが設けられている。この通路１８ｂは、スライディング部材３０ｂの滑走距離を考慮して、それに好適な長さで形成される。このように支持部材１０ｂの内部でスライディング部材３０ｂの貫通孔３８ｂと支持部材１０ｂの通路１８ｂを通過した回転板５０ｂの一端は、旋回部材２０ｂに密着されてボルト６０ｂとして締結されて結合される。このボルト６０ｂの締結のために、旋回部材２０ｂにはボルト孔２４bが形成されていて、それと対応される回転板５０ｂの一端には、締結孔５４ｂが形成されている。その結果、旋回部材２０ｂが旋回すると回転板５０ｂがそれと共に旋回するようになる。
【００８７】
回転板５０ｂは、支持部材１０ｂの内側に位置したその係止突起５２ｂ部分からその旋回軸線と直交する方向に連結部５８ｂが延長されている。この連結部５８ｂは、支持部材１０ｂに回転可能に結合されたリンク４０ｂの一端に連結される。
【００８８】
リンク４０ｂは、旋回部材２０ｂを支持部材１０ｂに拘束させて旋回によって直進運動が発生するようにする核心的な構成要素である。このようなリンク４０ｂは、支持部材１０ｂに回転可能に結合された支点から離れた一端が旋回部材２０ｂに回転可能に結合される。具体的に、リンク４０ｂは、軸孔４２ｂが形成されて、支持部材１０ｂに具備された軸ピン１３ｂが挟まれて回転可能に結合されて、この軸孔４２ｂから離れた両端には結合ピンら４４b-１、４４b-３が具備されて、一側結合ピン４４b-１は回転板５０ｂの連結部５８ｂに形成されたピン孔５９ｂに挟まれて他側結合ピン４４b-３は、スプリング８０ｂのピン孔８２ｂに挟まれて結合される。このように本実施例では、リンク４０ｂの一端には回転板５０ｂが、そして他端にはスプリング８０ｂが結合されていて、旋回部材２０ｂの旋回によるリンク４０ｂの旋回によってスプリング８０ｂが圧縮されてから復元されながらリンク４０ｂに作動力を提供して、旋回部材２０ｂの旋回運動力を倍加させる。
【００８９】
リンク４０ｂは、第２実施例と同様に旋回部材２０ｂが縦方向(第１位置)で存在する時、旋回部材２０ｂの旋回中心を通り過ぎる垂直中心線(Lv")を基準にして、旋回部材の旋回方向側に偏向されて位置されて、特に、リンク４０ｂの軸孔４２ｂは、垂直中心線(Lv")上に位置して、連結部５８ｂ側結合支点は、垂直中心線(Lv")に対して旋回部材２０ｂの旋回方向側、すなわち、リンク４０ｂの旋回反対方向側にかたよって位置する。このように、リンク４０ｂは、その両端の結合位置と旋回角を通じて、本発明で旋回部材２０ｂの縦方向から横方向への旋回運動時に初期に旋回部材２０ｂの角が支持面１１ｂにかからないように支持面から遠くなる方向(支持面の反対方向)にスライディング移動させる第１スライディング動作と、旋回部材２０ｂの角が支持面１１ｂを通り過ぎれば、この第１スライディング動作を終えて支持面１１ｂを向けてスライディング移動させる第２スライディング動作を具現するように構成される。
【００９０】
このような結合構造によってリンク４０ｂは、旋回部材２０ｂの旋回によって支持部材１０ｂに結合された支点を軸に回転板５０ｂに結合された一端(旋回端)が一定角度で旋回するようになる。リンク４０ｂは初期動作が円滑になされるように直線バー(bar)形態で、おおよそリンク４０ｂの中間部位からその旋回端がリンク４０ｂの旋回反対方向側に折り曲げられることが望ましい。
【００９１】
図２０は、図１６ないし図１９に示された本装置の動作方法を示した使用状態斜視図であり、図２１は図２０の動作メカニズムを平面的に示した図面である。この図面を参照して、本発明の第３実施例の動作原理に対して詳細に説明する。
【００９２】
図２０の(Ｉ)でのように、本体９０ｂに折り畳まれて(重ねられて)いる状態で支持部材１０ｂを持ち上げれば、図２０の(ＩＩ)で見るところのようにその旋回軸９２ｂを軸にして旋回して本体９０ｂと支持部材１０ｂは、一側面を突き合わせた状態で開かれるようになる。
【００９３】
このように、本体９０ｂで支持部材１０ｂを開いた状態で使用者は旋回部材２０ｂを手で握って旋回させるようになる。すなわち、図２０の(ＩＩ)と図２１の(Ｉ)でのように旋回部材２０ｂが縦方向に位置する状態で、使用者が旋回部材２０ｂをＡ方向に回転させると旋回部材２０ｂと回転板５０ｂが一体で回転しながら回転板５０ｂに連結されたリンク４０ｂも旋回するようになる。リンク４０ｂは支持部材１０ｂに結合された結合支点を軸にして、その旋回端が回転するようになる。その結果、リンク４０ｂは図２０の(ＩＩＩ)と図２１の(ＩＩ)でのように旋回端が運動開始支点で最高点に到逹する距離ｄ１'程度上昇するようになる。これは、すなわち、旋回端が結合された回転板５０ｂを上昇させて、回転板５０ｂが挟まれたスライディング部材３０ｂが支持部材１０ｂのガイドレール１２ｂ-１、１２ｂ-３に沿って上昇するようにして、それにしたがってスライディング部材３０ｂと回転板５０ｂによって結合された旋回部材２０ｂも支持面１１ｂから離れる方向にスライディング上昇するようになる(第１スライディング運動)。
【００９４】
上記のようにリンク４０ｂの旋回端が最高点まで上昇した後には、継続的な旋回部材２０ｂの旋回動作によって最高点を基点にしてリンク４０ｂの旋回端は、下降するようになる。このリンク４０ｂの旋回端の下降は、それと連結された回転板５０ｂを下降させて、回転板５０ｂが結合されたスライディング部材３０ｂが支持面１１ｂを向けてスライディング移動するようにする(第２スライディング運動)。
【００９５】
このようにして図２０の(ＩＶ)と図２１の(ＩＩＩ)で見るところのように旋回部材２０ｂが縦方向で９０度旋回して横方向に位置された時には支持面１１ｂに支持される状態を維持するようになる。
【００９６】
図２２は、本発明によるスライディング旋回装置の第４実施例を示した組み立て斜視図であり、図２３は、図２２に示された本装置の分離斜視図であり、図２４は図２３の下方向から見て示した分離斜視図である。また、図２５は図２２ないし図２４に示された本装置の動作方法を示した使用状態図である。
【００９７】
本第４実施例によるスライディング旋回装置は、構成及び動作メカニズムにおいて前に説明した第３実施例とほとんど類似である。但し、本第４実施例では、第３実施例でスライディング部材を除去して、支持部材１０ｃの通路１８ｃに挟まれる回転板５０ｃの挿入部５１ｃを通路１８ｃの幅よりすこし小さく形成して、ぎゅっと挟まれるようにすることで通路１８ｃの幅方向では搖れないで、その長さ方向(滑走方向)だけで移動するようにして、旋回部材２０ｃのスライディング滑走を案内する。勿論、回転板５０ｃは、その挿入部５１ｃが円形であるので、通路１８ｃでスライディングと共に回転が可能である。このように、本第４実施例では通路１８ｃに回転板５０ｃを挟めば回転板５０ｃの顎部５２cがかかりながら円形挿入部５１ｃが通路１８ｃに挟まれて通路１８ｃに沿って滑走するようにすることで、直線滑走を案内するスライディング構造を完成している。ここで、通路１８ｃは、スライディング方向に沿って形成された長孔として、その両端が塞がれた構造で提供される。
【００９８】
回転板５０ｃの連結部５８ｃにはリンク４０ｃが結合されて、このリンク４０ｃの結合構造及び動作は前の第３実施例で既に説明したところのようである。すなわち、リンク４０ｃは、軸孔４２cが形成されて支持部材１０ｃに具備された軸ピン１３cが挟まれて回転可能に結合されて、この軸孔４２cから離れた両端には結合ピンら４４c-１、４４c-３が具備されて、一側結合ピン４４c-１は回転板５０ｃの連結部５８ｃに形成されたピン孔５９cに挟まれて、他側結合ピン４４c-３はスプリング８０ｃのピン孔８２cに挟まれて結合される。このように本実施例ではリンク４０ｃの一端には回転板５０ｃが、そして他端にはスプリング８０ｃが結合されていて、旋回部材２０ｃの旋回によるリンク４０ｃの旋回によってスプリング８０ｃが圧縮されてから復元されながらリンク４０ｃに作動力を提供して旋回部材２０ｃの旋回運動力を倍加させる。
【００９９】
このようなリンク４０ｃは、第３実施例で既に説明したところと同一な結合構造及び動作によって旋回部材２０ｃの縦方向から横方向への旋回運動時初期に旋回部材２０ｃの角が支持面１１ｃにかからないように支持面から遠くなる方向(支持面の反対方向)にスライディング移動させる第１スライディング動作と、旋回部材２０ｃの角が支持面１１ｃを通り過ぎれば、この第１スライディング動作を終えて支持面１１ｃを向けてスライディング移動させる第２スライディング動作を具現するように構成される。これに対する詳しい説明は第３実施例を参照してほしい。
【０１００】
図２６及び図２７は、上の支持部材にスライディング方向に形成された通路の多様な実施例であり、通路１８c'は前の例示したところのようにスライディング方向に平行な直線ですこし変形して、図２６でのようにスライディング方向に平行な直線ですこし傾斜させて斜線で形成するか、または図２７で見るところのようにもうすこし柔らかい動作を誘導するために、図２６の斜線の通路を曲線化して曲線型の通路１８c"で形象化することができる。このように、通路をスライディング方向に平行な直線で斜めに形成すると、それに沿って移動する回転板が停止状態で旋回時に柔らかくて円滑な動作ができるようにする。
【産業上の利用可能性】
【０１０１】
ここで開示される実施例は、さまざまに実施可能な例のうちで当業者の理解を助けるために一番望ましい例を選定して提示したものであるだけで、本発明の技術的思想が必ずこの実施例のみによって限定されるか、または制限されるものではなくて、本発明の技術的思想を脱しない範囲内で多様な変化と変更ができることはもちろん、均等な他の実施例が可能である。例えば、本装置で旋回構造とリンクは直線方向のスライディング運動を提供することができたら、どのような構造ないし方式のスライディング構造とも組み合わされることができる。また、本装置の適用対象を、携帯電話を例にして説明したが、これに限定されないで、支持体と旋回体を有して、これらの間に旋回運動と直線運動が必要な応用機器なら広く適用されることができる。
【図１】
2010526508.tif 000003
【図２】
2010526508.tif 000004
【図３】
2010526508.tif 000005
【図４】
2010526508.tif 000006
【図５】
2010526508.tif 000007
【図６】
2010526508.tif 000008
【図７】
2010526508.tif 000009
【図８】
2010526508.tif 000010
【図９】
2010526508.tif 000011
【図１０】
2010526508.tif 000012
【図１１】
2010526508.tif 000013
【図１２】
2010526508.tif 000014
【図１３】
2010526508.tif 000015
【図１４】
2010526508.tif 000016
【図１５】
2010526508.tif 000017
【図１６】
2010526508.tif 000018
【図１７】
2010526508.tif 000019
【図１８】
2010526508.tif 000020
【図１９】
2010526508.tif 000021
【図２０】
2010526508.tif 000022
【図２１】
2010526508.tif 000023
【図２２】
2010526508.tif 000024
【図２３】
2010526508.tif 000025
【図２４】
2010526508.tif 000026
【図２５】
2010526508.tif 000027
【図２６】
2010526508.tif 000028
【図２７】
2010526508.tif 000029
【国際調査報告】
2010526508.tif 000030
2010526508.tif 000031